(57)【特許請求の範囲】
【請求項１】
一面に開口部を有する箱状の収納部と、
前記開口部を開閉可能な蓋部と、
を備え、
前記収納部は、
前記収納部の内側面を構成する内側壁と、
前記収納部の外側面を構成する外側壁と、
前記内側壁の前記開口部側の端部と前記外側壁の前記開口部側の端部との間に跨るように設けられ、前記内側壁と前記外側壁とを連結すると共に、係合孔が形成されている端壁と、
からなる外周壁を有し、
前記蓋部に、前記係合孔に係合可能な係合爪が設けられた物入れであって、
前記端壁、前記内側壁、および前記外側壁の何れか１つの壁に、該１つの壁と一体的に設けられて片持ち支持されると共に前記１つの壁に対して回動自在に設けられ、前記係合孔を、前記係合爪の受け入れ側とは反対の裏面側から閉塞可能な物落ち防止片と、
前記蓋部を開けた状態で前記物落ち防止片の前記係合孔に対する閉塞状態を維持するための係止手段と、
を有していることを特徴とする物入れ。
【請求項２】
前記係止手段は、
前記外周壁の前記係合孔の周囲に設けられ、前記裏面側に突出する突起爪と、
前記物落ち防止片に設けられ、前記突起爪と係合可能な爪挿入孔と、
からなることを特徴とする請求項１に記載の物入れ。
【請求項３】
前記端壁に凹部を形成し、該凹部に前記係合孔を形成すると共に、前記凹部の底壁に、前記突起爪を形成したことを特徴とする請求項２に記載の物入れ。
【請求項４】
前記凹部の側面のうち、前記外周壁の前記内側壁側および前記外側壁側の何れか一方に前記係合孔を形成すると共に、前記内側壁および前記外側壁のうち、前記係合孔と対向する位置に、前記係合孔側に向かって突出するリブを設けたことを特徴とする請求項３に記載の物入れ。
【請求項５】
前記物落ち防止片の前記閉塞状態において、前記物落ち防止片と前記リブとが当接することを特徴とする請求項４に記載の物入れ。
【請求項６】
前記外周壁の一部を切り欠いて前記物落ち防止片とし、該物落ち防止片の根元に薄肉部を形成することにより、前記外周壁に対して前記物落ち防止片を回動自在としたことを特徴とする請求項１〜請求項５の何れか１項に記載の物入れ。
【発明の詳細な説明】
【技術分野】
【０００１】
この発明は、物入れに関するものである。
【背景技術】
【０００２】
自動車等の室内には、小物等を収納する物入れ（アシストボックス）が設けられている。物入れは、例えば、インストルメントパネルの助手席の前方等に設けられ、上面が開口された箱状の収納部（ボックス）と、この収納部の開口部を開閉可能な蓋部（リッド）と、を備えている。また、物入れには、走行中の振動等により、蓋部が突然開くことがないようにロック機構が設けられている。
【０００３】
ロック機構は、収納部の周縁に形成された係合孔と、蓋部の係合孔に対応する位置に設けられ、係合孔と係合可能な係合爪と、を備えている。係合爪は、蓋部に対して回動自在に設けられている。また、蓋部の閉塞状態においては、係合爪に、係合孔と係合する方向に向かう弾性力が常時付勢されている。
このような構成のもと、蓋部を開放する場合には、まず、係合爪を操作して係合孔と係合爪との係合を解除し、この後、蓋部を開く。
【先行技術文献】
【特許文献】
【０００４】
【特許文献１】特開平９−１８３４４９号公報
【発明の概要】
【発明が解決しようとする課題】
【０００５】
ところで、上述の従来技術にあっては、蓋部の開放状態に、収納部に形成された係合孔が露出する。このため、係合孔にコイン等の小物が落下してしまうおそれがある。
【０００６】
ここで、係合孔にコイン等の小物が落下しないように、係合孔を小さく形成することが考えられる。しかしながら、係合孔を小さくすると、これに対応して係合爪も小さく形成する必要がある。係合爪を小さく形成すると、剛性が低下し、走行中の振動等により蓋部が開いてしまったり、係合爪が破損してしまったりするおそれがあるという課題がある。
また、係合孔の係合爪を受け入れる側とは反対の裏面側に、コイン等の落下を防止するための板材を別途設けることも考えられる。しかしながら、板材を別途設けてしまうと部品点数が増加すると共に、組付け工数も増加し、物入れの製造コストが増大してしまうという課題がある。
【０００７】
そこで、この発明は、上述した事情に鑑みてなされたものであって、係合爪の剛性を図り、蓋部の機能を十分満足しつつ、係合孔からの小物の落下を防止することができる物入れを提供するものである。
また、組付け工数の増加を抑え、製造コストの増大を抑制できる物入れを提供するものである。
【課題を解決するための手段】
【０００８】
上記の課題を解決するために、請求項１に記載した発明は、一面に開口部（例えば、実施形態における開口部２ａ）を有する箱状の収納部（例えば、実施形態における収納部２）と、前記開口部を開閉可能な蓋部（例えば、実施形態における蓋部３）と、を備え、前記収納部は、前記収納部の内側面を構成する内側壁（例えば、実施形態における内側壁２７）と、前記収納部の外側面を構成する外側壁（例えば、実施形態における外側壁２８）と、前記内側壁の前記開口部側の端部と前記外側壁の前記開口部側の端部との間に跨るように設けられ、前記内側壁と前記外側壁とを連結すると共に、係合孔（例えば、実施形態における係合孔３１）が形成されている端壁（例えば、実施形態における端壁２９）と、からなる外周壁（例えば、実施形態における外周壁１８）を有し、前記蓋部に、前記係合孔に係合可能な係合爪（例えば、実施形態における係合爪１７）が設けられた物入れであって、前記端壁、前記内側壁、および前記外側壁の何れか１つの壁に、該１つの壁と一体的に設けられて片持ち支持されると共に前記１つの壁に対して回動自在に設けられ、前記係合孔を、前記係合爪の受け入れ側とは反対の裏面側から閉塞可能な物落ち防止片（例えば、実施形態における物落ち防止片３６）と、前記蓋部を開けた状態で前記物落ち防止片の前記係合孔に対する閉塞状態を維持するための係止手段（例えば、実施形態における突起爪３２、爪挿入孔３８）と、を有していることを特徴とする。
【０００９】
このように構成することで、係合孔を小さくすることなく、物落ち防止片によって係合孔への小物の落下を防止できる。また、係合爪の剛性を図り、蓋部の機能を十分満足させることができる。
さらに、物落ち防止片は、外周壁と一体的に設けられているので、管理部品の増加を抑えることができる。また、物落ち防止片は、外周壁に対して回動自在に設けられており、しかも物落ち防止片の係合孔に対する閉塞状態を維持するための係止手段が設けられているので、係合孔の裏面側に物落ち防止片を容易に組み付けることができる。このため、組付け工数の増加を抑え、製造コストの増大を抑制できる。
また、外周壁の軽量化を図りつつ、外周壁の剛性を高めることができる。端壁に係合孔を形成することにより、物入れにおける使用者の最も手前で係合爪の操作を行うことが可能になる。このため、操作性のよい物入れを提供できる。
【００１２】
請求項２に記載した発明において、前記係止手段は、前記外周壁の前記係合孔の周囲に設けられ、前記裏面側に突出する突起爪（例えば、実施形態における突起爪３２）と、前記物落ち防止片に設けられ、前記突起爪と係合可能な爪挿入孔（例えば、実施形態における爪挿入孔３８）と、からなることを特徴とする。
【００１３】
このように構成することで、係止手段の構成を簡素化できると共に、係合孔の裏面側に、物落ち防止片を容易に組み付けることが可能となる。
【００１４】
請求項３に記載した発明は、前記端壁に凹部（例えば、実施形態における凹部３０）を形成し、該凹部に前記係合孔を形成すると共に、前記凹部の底壁（例えば、実施形態における底壁３０ｂ）に、前記突起爪を形成したことを特徴とする。
【００１５】
このように、端壁に凹部を形成することにより、この凹部が補強リブとして機能し、端壁の剛性が高まる。このため、収納部２による蓋部３の保持力（係合力）を高めることができる。
また、凹部の側面に係合孔を形成することにより、外部から係合孔が見えにくくなる。このため、係合孔に小物を落としにくくなると共に、物入れの意匠性を高めることができる。
さらに、凹部の底壁に突起爪を形成すると共に、物落ち防止片に爪挿入孔を形成するので、物落ち防止片を凹部の裏側から凹部の底壁に向かって押し上げるだけで物落ち防止片の組付けを完了させることができる。このため、物落ち防止片を容易に組み付けることができる。
また、剛性の高い凹部に突起爪を形成するので、物落ち防止片を確実に支持でき、係合孔に対する物落ち防止片の閉塞状態を確実に維持できる。
【００１６】
請求項４に記載した発明は、前記凹部の側面のうち、前記外周壁の前記内側壁側および前記外側壁側の何れか一方に前記係合孔を形成すると共に、前記内側壁および前記外側壁のうち、前記係合孔と対向する位置に、前記係合孔側に向かって突出するリブ（例えば、実施形態におけるリブ３３）を設けたことを特徴とする。
【００１７】
このように構成することで、係合孔を介して外周壁の内部に小物が入り込んでしまうことを、リブによって阻止することができる。このため、係合孔からの小物の落下を、より確実に防止できる。
【００１８】
請求項５に記載した発明は、前記物落ち防止片の前記閉塞状態において、前記物落ち防止片と前記リブとが当接することを特徴とする。
【００１９】
このように構成することで、リブと物落ち防止片との隙間から小物が落下してしまうことを防止できる。このため、係合孔からの小物の落下を、さらに確実に防止できる。また、物落ち防止片のバタつきも抑えることができる。
【００２０】
請求項６に記載した発明は、前記外周壁の一部を切り欠いて前記物落ち防止片とし、該物落ち防止片の根元に薄肉部（例えば、実施形態における薄肉部３７）を形成することにより、前記外周壁に対して前記物落ち防止片を回動自在としたことを特徴とする。
【００２１】
このように構成することで、物入れの製造コストを低減できる。また、外周壁の物落ち防止片に対応する箇所を押し込むだけで、係合孔の裏面側に物落ち防止片を取り付けることができる。このため、物落ち防止片を、さらに容易に組み付けることができる。
【発明の効果】
【００２２】
本発明によれば、係合孔を小さくすることなく、物落ち防止片によって係合孔への小物の落下を防止できる。また、係合爪の剛性を図り、蓋部の機能を十分満足させることができる。
さらに、物落ち防止片は、外周壁と一体的に設けられているので、管理部品の増加を抑えることができる。また、物落ち防止片は、外周壁に対して回動自在に設けられており、しかも物落ち防止片の係合孔に対する閉塞状態を維持するための係止手段が設けられているので、係合孔の裏面側に物落ち防止片を容易に組み付けることができる。このため、組付け工数の増加を抑え、製造コストの増大を抑制できる。
また、外周壁の軽量化を図りつつ、外周壁の剛性を高めることができる。端壁に係合孔を形成することにより、物入れにおける使用者の最も手前で係合爪の操作を行うことが可能になる。このため、操作性のよい物入れを提供できる。
【図面の簡単な説明】
【００２３】
【図１】本発明の実施形態における車体の車室内の斜視図である。
【図２】本発明の実施形態におけるアッパートレイの分解斜視図である。
【図３】図１のＡ−Ａ線に沿う断面図である。
【図４】図２のＢ矢視図である。
【図５】本発明の実施形態における係合孔の形成方法を示す説明図である。
【図６】本発明の実施形態における物落ち防止片の取り付け状態を示す断面図である。
【図７】本発明の実施形態における物落ち防止片を取り付けた状態を示す斜視図である。
【図８】本発明の実施形態における物落ち防止片の作用説明図である。
【図９】本発明の実施形態の変形例における図１のＣ−Ｃ線に沿う物落ち防止片の断面図である。
【発明を実施するための形態】
【００２４】
次に、この発明の実施形態を図面に基づいて説明する。
【００２５】
図１は、車体１００の車室内から前方をみた斜視図である。図２は、物入れとしてのアッパートレイ１の分解斜視図である。
なお、以下の説明において、前後上下左右等の向きは、車体１００の向きと同一とする。すなわち、以下の説明では、車両進行方向前方を単に前方と称し、車両進行方向後方を単に後方と称し、運転席からみて車幅方向右側を単に右側と称し、車幅方向左側を単に左側と称し、重力方向上側を単に上側と称し、重力方向下側を単に下側と称して説明する。
【００２６】
（アッパートレイ）
図１、図２に示すように、車体１００のインストルメントパネル１０１には、運転席側（右側）に、アッパートレイ１が設けられている。アッパートレイ１は、上面に開口部２ａを有する箱状の収納部２と、収納部２の開口部２ａを開閉可能な蓋部３と、を備えている。
【００２７】
（蓋部）
図３は、図１のＡ−Ａ線に沿う断面図である。
図２、図３に示すように、蓋部３は、ロアパネル４とアッパーパネル５とからなる樹脂製の蓋部本体６と、ロアパネル４の後側とアッパーパネル５の後側とで挟持された樹脂製のノブ７と、を備えている。
ロアパネル４は、左右方向に長い略長方形状の板材であって、その外周縁には、僅かに上側に向かって立ち上がるように周壁８が一体成形されている。この周壁８にアッパーパネル５が重ね合わさることにより、閉断面が構成され、重厚感のある蓋部３が形成される。
【００２８】
また、ロアパネル４の前端には、左右方向両側にブラケット９が一体成形されている。ブラケット９は、下側に向かって突出しており、収納部２に回転可能に接続されるように構成されている。
さらに、ロアパネル４の後側には、左右方向中央にノブ７を取り付けるための凹部１０が形成されている。この凹部１０にノブ７の一部が収納される。また、凹部１０の後端には、窪み部１１が形成されている。この窪み部１１は、ロアパネル４と、ノブ７の後述する係合爪１７と、の干渉を避けるためのものである。また、窪み部１１は、使用者（運転者）がノブ７に手を掛けやすくする役割も有している。
【００２９】
アッパーパネル５は、ロアパネル４の形状に対応するように左右方向に長い略長方形状の板材である。アッパーパネル５は、上側に向かって僅かに膨出するように、前後が僅かに湾曲形成されている。そして、アッパーパネル５の外周縁が、ロアパネル４の周壁８に当接するように、ロアパネル４とアッパーパネル５とが重ね合わさる。
また、アッパーパネル５の後端には、左右方向中央に凹部１２が形成されている。この凹部１２により、蓋部本体６に対するノブ７の回動が許容される。
【００３０】
ノブ７は、左右方向に長くなるように形成されており、ベース部１３と、ベース部１３の後端に設けられた化粧カバー１４と、を備えている。
ベース部１３の左右方向両側で、かつ前側には、それぞれ円柱状の支軸１５ａ，１５ｂが左右方向に沿って突設されている。これら支軸１５ａ，１５ｂがロアパネル４とアッパーパネル５とに挟持されることにより、蓋部３に対してノブ７が回動可能に取り付けられる。
【００３１】
また、支軸１５ａ，１５ｂのうち、一方の支軸１５ａの長さは、他方の支軸１５ｂの長さと比較して長く設定されている。長さが長く設定されている一方の支軸１５ａには、トーションばね１６が取り付けられている。このトーションばね１６によって、ノブ７は、支軸１５ａ，１５ｂを中心にして後部が下側に向かうように常時付勢されている。
さらに、ベース部１３の左右方向中央には、斜め下方前方に向かって延出する係合爪１７が一体成形されている。この係合爪１７は、収納部２に設けられている後述の係合孔３１と係合可能に構成されている。
【００３２】
（収納部）
図２、図３に示すように、箱状の収納部２は樹脂製であって、その左右方向の長さは、蓋部３の左右方向の長さと比較して短く設定された直方体状に形成されている。そして、収納部２は、外周壁１８と、底壁１９と、を備えている。外周壁１８は、前側に延在する前壁部２１と、後側に延在する後壁部２２と、右側に延在する右壁部２３と、左側に延在する左壁部２４とが連続的に一体成形されたものである。
【００３３】
また、収納部２の開口部２ａには、右方向に延びる右フランジ部２５ａと左方向に延びる左フランジ部２５ｂとが一体成形されている。つまり、右壁部２３の開口部２ａ側端から右フランジ部２５ａが右方に向かって屈曲延出されている一方、左壁部２４の開口部２ａ側端から左フランジ部２５ｂが左方に向かって屈曲延出されている。
これらフランジ部２５ａ，２５ｂは、蓋部３の形状に対応するように延出されている。すなわち、蓋部３は、収納部２の開口部２ａを閉塞する場合、この開口部２ａを覆いつつ、各フランジ部２５ａ，２５ｂと重ね合わさった状態になる。
【００３４】
また、右フランジ部２５ａの右側端で、かつ前側端の角部と、左フランジ部２５ｂの左側端で、かつ前側端の角部とには、それぞれ支持ブラケット２６が一体成形されている。これら支持ブラケット２６に、蓋部３のブラケット９が回動可能に取り付けられる。これにより、蓋部３がブラケット９および支持ブラケット２６を中心にして回動し、蓋部３によって、収納部２が閉塞されたり（以下、閉塞状態という）、開放されたり（以下、開放状態という）する。
【００３５】
ここで、外周壁１８の後壁部２２は、収納部２の内側面の一部を構成する内側壁２７と、収納部２の外側面の一部を構成する外側壁２８と、内側壁２７の開口部２ａ側端と外側壁２８の開口部２ａ側端との間に跨るように設けられ、内側壁２７と外側壁２８とを連結する端壁２９と、により構成されている。
【００３６】
図４は、図２のＢ矢視図である。
図２〜図４に示すように、端壁２９には、蓋部３の係合爪１７に対応する位置に、この係合爪１７を受け入れる凹部３０が形成されている。凹部３０は、上側が開口するように断面略Ｕ字状に形成されている。また、凹部３０における内側壁２７側（前側）の側面３０ａには、蓋部３の係合爪１７と係合可能な係合孔３１が形成されている。
【００３７】
ここで、図５に基づいて、係合孔３１の形成方法について説明する。
図５は、係合孔３１の形成方法を示す説明図である。
前述したように、収納部２は樹脂製であり、金型Ｋを用いて形成される。金型Ｋは、上型ＫＵと、下型ＫＤと、により構成されている。そして、凹部３０を形成するにあたって、上型ＫＵと下型ＫＤとの合わせ面であるパーティングラインＰＬの一部は、係合孔３１に設定されている。これにより、スライドコア等を用いずに、凹部３０の側面３０ａに係合孔３１を形成することができる。
【００３８】
図２〜図４に戻り、凹部３０の底壁３０ｂには、下側（係合爪１７を受け入れる側とは反対側）に向かって突出する一対の突起爪３２が一体成形されている。
一対の突起爪３２は、後述する物落ち防止片３６を支持するためのものであって、弾性変形可能に形成されている。また、一対の突起爪３２は、左右方向に並んで配置されており、かつそれぞれの先端に形成されている引掛け凸部３２ａが、対向面とは反対側（左右方向外側）に向かって突出するように配置されている。引掛け凸部３２ａは、先細り状に形成されている。
【００３９】
さらに、外周壁１８の内側壁２７には、係合孔３１に対応する位置（係合孔３１に対向する位置）に、この係合孔３１に向かって突出する複数（この実施形態では３つ）のリブ３３が一体成形されている。
【００４０】
一方、外周壁１８の外側壁２８には、周縁に沿ってフランジ部３４が屈曲延出されている。また、外側壁２８には、上下方向に長くなるように形成された複数のビード３５が左右方向に並んで配置されている。これらフランジ部３４およびビード３５は、外側壁２８の剛性を高めるためのものである。また、複数のビード３５のうち、いくつかのビード３５には、開口部３５ａが形成されている。この開口部３５ａは、インストルメントパネル１０１に収納部２を取り付けたり、インストルメントパネル１０１内に配線されているケーブル等を引き回したりするために用いられる。さらに、開口部３５ａは、収納部２の軽量化や樹脂成型時のヒケ防止に寄与している。
【００４１】
また、外側壁２８には、凹部３０に対応する位置に、物落ち防止片３６が設けられている。物落ち防止片３６は、端壁２９の凹部３０に形成されている係合孔３１を、下側（裏側）から覆うことにより、係合孔３１を介してコイン等の小物がインストルメントパネル１０１内に落下しないようにするためのものである。なお、物落ち防止片３６によって係合孔３１を覆う方法についての詳細は、後述する。
【００４２】
物落ち防止片３６は、外側壁２８の一部を平面視略Ｕ字状に切り欠くことで略長方形状に形成されている。そして、物落ち防止片３６と外側壁２８との連結箇所である物落ち防止片３６の根元部３６ａは、物落ち防止片３６の上部に位置している。根元部３６ａには、左右方向全体に渡って薄肉部３７が形成されている。これにより、薄肉部３７が形成されている箇所の剛性が弱まる。そして、外側壁２８に対し、物落ち防止片３６が薄肉部３７を中心にして回動可能となる。
【００４３】
また、物落ち防止片３６の中央には、凹部３０の一対の突起爪３２を差込可能な爪挿入孔３８が形成されている。爪挿入孔３８は、左右方向に長くなるように略長方形状に形成されている。爪挿入孔３８の長手方向の幅Ｗ１は、一対の突起爪３２に設けられている引掛け凸部３２ａの最外側端間の幅Ｗ２よりも若干小さくなる程度に設定されている。
さらに、爪挿入孔３８の下側縁には、後方に向かって突出する取手部３９が一体成形されている。この取手部３９は、物落ち防止片３６によって係合孔３１を覆う際に用いられる。以下、詳述する。
【００４４】
（物落ち防止片の取り付け方法および取り付け状態）
次に、図６、図７に基づいて、物落ち防止片３６の取り付け方法および取り付け状態について説明する。
図６は、凹部３０の底壁３０ｂに物落ち防止片３６を取り付けた状態を示す断面図であって、図３に対応している。図７は、凹部３０の底壁３０ｂに物落ち防止片３６を取り付けた状態を示す斜視図であって、図４に対応している。
ここで、前述したように、物落ち防止片３６には薄肉部３７が形成されており、この薄肉部３７を中心にして物落ち防止片３６が回動可能になっている。
【００４５】
このため、図６、図７に示すように、まず、物落ち防止片３６の取手部３９を摘み、物落ち防止片３６を後方から前方に向かって押すと、この物落ち防止片３６が薄肉部３７を中心にして回動する。そして、物落ち防止片３６の先端が、凹部３０の底壁３０ｂに向かって押し上がる（図６の矢印Ｙ１参照）。すると、物落ち防止片３６の爪挿入孔３８に、凹部３０に設けられた一対の突起爪３２が差し込まれる。
【００４６】
このとき、物落ち防止片３６に取手部３９が設けられているので、物落ち防止片３６を押し上げ易い。
また、一対の突起爪３２の先端に形成されている引掛け凸部３２ａが先細り状に形成されているので、爪挿入孔３８に一対の突起爪３２がスムーズに差し込まれる。さらに、爪挿入孔３８の長手方向の幅Ｗ１は、一対の突起爪３２に設けられている引掛け凸部３２ａの最外側端間の幅Ｗ２よりも若干小さくなる程度に設定されているので、爪挿入孔３８によって一対の突起爪３２が弾性変形し、若干押し狭められる。
【００４７】
さらに、物落ち防止片３６を凹部３０の底壁３０ｂに向かって押し上げると、一対の突起爪３２に復元力が作用し、引掛け凸部３２ａが爪挿入孔３８の周縁に引っ掛かった状態になる。これにより、一対の突起爪３２（凹部３０）に、物落ち防止片３６がスナップフィット固定される。
また、図６に詳示するように、一対の突起爪３２に物落ち防止片３６がスナップフィット固定された状態では、内側壁２７に突設されたリブ３３に物落ち防止片３６の先端側の一面が当接した状態になる。
【００４８】
このような構成のもと、図３、図６に示すように、蓋部３の閉塞状態では、この蓋部３に設けられた係合爪１７が、端壁２９の凹部３０に挿入され、さらに係合爪１７の先端が係合孔３１に臨まされている。そして、蓋部３の閉塞状態では、係合爪１７の先端が係合孔３１の上縁に当接し、これによって、係合爪１７と係合孔３１とが係合した状態になる。
このとき、係合爪１７が設けられているノブ７は、トーションばね１６によって、支軸１５ａ，１５ｂを中心にして後部が下側に向かうように常時付勢されている（図２参照）。すなわち、係合孔３１の上縁に係合爪１７の先端が当接するように付勢力が作用している。このため、蓋部３の閉塞状態が維持される。
【００４９】
一方、蓋部３を開放するときは、ノブ７をトーションばね１６のバネ力に抗して持ち上げる。すると、係合爪１７と係合孔３１との係合が解除され、さらに、蓋部３がブラケット９および支持ブラケット２６（図２参照）を中心にして回動する。これにより、蓋部３の先端が持ち上がり（図３、図６における矢印Ｙ２）、蓋部３が開放状態となる。
ここで、蓋部３の開放状態においては、収納部２の端壁２９に形成された凹部３０が露出する。さらに、この凹部３０に形成された係合孔３１が若干ではあるが露出する。このため、例えば、凹部３０にコイン等の小物を落とした場合、係合孔３１を介して小物が落下することが考えられるが、この落下を、物落ち防止片３６によって防止できる。以下、詳述する。
【００５０】
（物落ち防止片の作用）
図８は、物落ち防止片３６の作用説明図である。
同図に示すように、凹部３０に物落ち防止片３６をスナップフィット固定した状態では、物落ち防止片３６は、係合孔３１を下側から覆った状態になる。このため、例えば、コインＣが凹部３０に落下した場合であっても、係合孔３１を介してコインＣがさらにインストルメントパネル１０１内へと落下してしまうことが防止される。
【００５１】
また、外周壁１８の内側壁２７には、係合孔３１に対応する位置に、この係合孔３１に向かって突出する複数（この実施形態では３つ）のリブ３３が一体成形されている。このため、係合孔３１に連通する外周壁１８内の空間ＲにコインＣが入り込んでしまうことが防止される。
さらに、凹部３０に物落ち防止片３６をスナップフィット固定した状態では、リブ３３に物落ち防止片３６の先端側の一面が当接した状態になる。このため、リブ３３と物落ち防止片３６の一面との間に、インストルメントパネル１０１内へと通じる隙間が形成されず、このインストルメントパネル１０１内へのコインＣの落下が確実に防止される。
【００５２】
このように、上述の実施形態では、収納部２と蓋部３とを係合するための係合孔３１を、下側（裏側）から物落ち防止片３６によって覆うので、係合孔３１を小さくすることなく、この係合孔３１を介したコイン等の小物の落下を防止できる。
また、物落ち防止片３６は、外周壁１８の一部を構成する外側壁２８と一体に設けられているので、物落ち防止片３６を設けた場合であっても、管理部品の増加を抑えることができる。しかも、外側壁２８を切り欠いて物落ち防止片３６を形成するので、収納部２の機能を阻害することもない。
【００５３】
さらに、物落ち防止片３６の根元部３６ａに薄肉部３７を形成することにより、外側壁２８に対して物落ち防止片３６を回動可能としている。しかも、凹部３０に突起爪３２を突設する一方、この突起爪３２を差込可能な爪挿入孔３８を、物落ち防止片３６に形成している。このため、物落ち防止片３６を後側（外側）から押し上げるだけで、この物落ち防止片３６の取り付け作業を完了できる。すなわち、簡素な構造でありながら、凹部３０に物落ち防止片３６を容易に取り付けることができる。よって、組付け工数の増加を抑え、製造コストの増大を抑制できる。
【００５４】
また、係合孔３１が形成される後壁部２２を、内側壁２７と、外側壁２８と、これら内側壁２７と外側壁２８とを連結する端壁２９と、により構成している。このため、例えば、一枚の壁で後壁部２２の剛性を確保しようとする場合と比較して、後壁部２２全体の肉厚を薄肉化できる。よって、後壁部２２の軽量化を図りつつ、後壁部２２の剛性を高めることができる。
さらに、端壁２９に係合孔３１を形成することにより、アッパートレイ１の最も手前側、つまり、使用者（運転者）側にノブ７を配置できるので、蓋部３の開閉作業を容易に行うことができる。
【００５５】
また、端壁２９に凹部３０を形成し、この凹部３０の側面３０ａに係合孔３１を形成している。すなわち、断面略Ｕ字状の凹部３０が補強リブとして機能し、端壁２９の剛性が高まる。このため、収納部２による蓋部３の保持力（係合力）を高めることができる。さらに、底壁３０ｂに係合孔３１を形成する場合と比較して、外部から係合孔３１が見えにくくなる。このため、アッパートレイ１の意匠性を高めることができると共に、係合孔３１に小物を落としにくくなる。
さらに、剛性の高い凹部３０に突起爪３２を形成するので、物落ち防止片３６を確実に支持でき、係合孔３１に対する物落ち防止片３６の閉塞状態を確実に維持できる。
【００５６】
また、外周壁１８の内側壁２７には、係合孔３１に対応する位置に、この係合孔３１に向かって突出する複数（この実施形態では３つ）のリブ３３が一体成形されている。このため、係合孔３１に連通する外周壁１８内の空間Ｒ（図８参照）にコインＣが入り込んでしまうことを防止できる。よって、係合孔３１からの小物の落下を、より確実に防止できる。
しかも、凹部３０に物落ち防止片３６をスナップフィット固定した状態では、リブ３３に物落ち防止片３６の先端側の一面が当接した状態になる。このため、リブ３３と物落ち防止片３６の一面との間に、インストルメントパネル１０１内へと通じる隙間が形成されず、このインストルメントパネル１０１内へのコインＣの落下を確実に防止できる。また、物落ち防止片３６のバタつきも抑えることができる。
【００５７】
なお、本発明は上述の実施形態に限られるものではなく、本発明の趣旨を逸脱しない範囲において、上述の実施形態に種々の変更を加えたものを含む。
例えば、上述の実施形態では、インストルメントパネル１０１の運転席側（右側）に、アッパートレイ１を設けた場合について説明した。しかしながらこれに限られるものではなく、助手席側であってもよいし、さらに、車体１００以外のものに、物入れとしてアッパートレイ１と同様の構成のものを採用することが可能である。
【００５８】
また、上述の実施形態では、端壁２９に凹部３０を形成し、この凹部３０に係合孔３１を形成した場合について説明した。しかしながら、これに限られるものではなく、端壁２９に凹部３０を形成せずに、平坦な端壁２９に係合孔３１を形成するようにしてもよい。この場合、係合爪１７は、係合孔３１を介して端壁２９の裏面側と係合するように構成する。
また、凹部３０の底壁３０ｂに係合孔３１を形成することも可能である。この場合、凹部３０の底壁３０ｂと物落ち防止片３６との間に、係合爪１７を受け入れ可能な隙間を形成すればよい。
さらに、端壁２９ではなく、外側壁２８に係合孔３１を形成してもよい。この場合、外側壁２８の後側から係合爪１７が挿入されるように構成する。
【００５９】
そして、上述の実施形態では、蓋部３に対して回動可能なノブ７を設けた場合について説明した。しかしながら、これに限られるものではなく、ノブ７に代わってプッシュボタンを設け、このプッシュボタンに係合爪１７を設けるようにしてもよい。
この場合、蓋部３にプッシュボタンを収納可能な凹部を設け、この凹部に対してプッシュボタンをスライド自在に収納する。また、凹部にスプリングを設け、このスプリングのバネ力に抗してプッシュボタンを押圧すると、係合孔３１と係合爪１７との係合が解除されるように構成すればよい。
【００６０】
また、プッシュボタンは、蓋部３の後側端に設ける場合に限られず、蓋部３の上面の何れかに設けてもよい。プッシュボタンと蓋部３とを面一で設けることにより、意匠性も向上させることができる。
さらに、上述の実施形態では、物落ち防止片３６を略長方形状に形成した場合について説明した。しかしながら、これに限られるものではなく、例えば、円形状や楕円形状であってもよい。
また、上述の実施形態では、外側壁２８の一部を切り欠くことで物落ち防止片３６を形成した場合について説明した。しかしながら、これに限られるものではなく、外周壁１８であれば、何れの箇所を切り欠いて物落ち防止片３６としてもよい。
【００６１】
そして、上述の実施形態では、外周壁１８の内側壁２７には、係合孔３１に対応する位置に、この係合孔３１に向かって突出する３つのリブ３３が一体成形されている場合について説明した。しかしながら、これに限られるものではなく、リブ３３の個数は、任意に設定することが可能である。例えば、物落ち防止片３６の幅に応じてリブ３３の個数を決定することが好ましい。このように構成することで、物落ち防止片３６の幅方向全体に渡って、リブ３３を万遍なく当接させることができる。よって、係合孔３１を介する小物の落下を確実に防止できると共に、物落ち防止片３６のバタつきを確実に防止できる。
【００６２】
また、上述の実施形態では、凹部３０に突設された突起爪３２と物落ち防止片３６に形成された爪挿入孔３８によって、凹部３０に物落ち防止片３６を固定した場合について説明した。換言すれば、物落ち防止片３６の係合孔３１に対する閉塞状態を維持するための係止手段として、突起爪３２と爪挿入孔３８とを設けた場合について説明した。しかしながら、これに限られるものではなく、係止手段は、物落ち防止片３６の係合孔３１に対する閉塞状態を維持できる構造であればよい。
例えば、突起爪３２に代わってボルト座を設け、物落ち防止片３６の下側（裏側）からタッピングネジ等を螺入し、凹部３０に物落ち防止片３６を締結固定するようにしてもよい。さらに、物落ち防止片３６に突起爪３２を突設する一方、凹部３０に爪挿入孔３８を形成してもよい。
【００６３】
また、上述の実施形態では、物落ち防止片３６の根元部３６ａに薄肉部３７を形成することにより、外側壁２８に対して物落ち防止片３６を回動可能としている場合について説明した。しかしながら、これに限られるものではなく、外側壁２８に対して物落ち防止片３６が回動可能に、かつ一体的に設けられていればよい。例えば、外側壁２８に、蝶番等を介して物落ち防止片３６が固定されていてもよい。
【００６４】
さらに、上述の実施形態では、外側壁２８に物落ち防止片３６を設けた場合について説明した。しかしながら、これに限られるものではなく、外周壁１８（内側壁２７、外側壁２８および端壁２９を含む）の何れかに物落ち防止片３６が設けられていればよい。以下、このことについて具体的に説明する。
【００６５】
（変形例）
図９は、実施形態の変形例における物落ち防止片２３６の断面図であって、前述の図１のＣ−Ｃ線に沿う断面図に相当している。なお、本変形例において、前述の実施形態と同一態様については同一符号を付して説明を省略する。
同図に示すように、物落ち防止片２３６は、外側壁２８に代わって端壁２９に一体成形されている。
【００６６】
より具体的には、端壁２９には、凹部３０の右側に、この凹部３０と間隔Ｗ３を開けて、物落ち防止片２３６が下方に向かって突出するように一体成形されている。物落ち防止片２３６の根元部２３６ａには、第１薄肉部４１が形成されており、樹脂成型時のヒケを防止することができるようになっている。
また、物落ち防止片２３６には、凹部３０の底壁３０ｂの面の高さとほぼ同じ高さに、第２薄肉部４２が形成されている。これにより、端壁２９に対し、物落ち防止片２３６が第２薄肉部４２を中心にして回動可能となる。
【００６７】
ここで、凹部３０と物落ち防止片２３６との間隔Ｗ３は、以下のように設定されている。
すなわち、凹部３０の底壁３０ｂには、下側に向かって突出する一対の突起爪３２が一体成形されているが、これら一対の突起爪３２の先端に形成されている引掛け凸部３２ａは、左右方向外側に向いている。引掛け凸部３２ａは、樹脂成型時にアンダーカットとなる箇所であり、金型にスライドコアが設けられる箇所である。このため、引掛け凸部３２ａが形成される箇所には、その左右方向両側に、スライドコアをスライド移動させるためのスペースが必要となる。このスペースを確保できるように、凹部３０と物落ち防止片２３６との間隔Ｗ３が設定されている。
【００６８】
したがって、上述の変形例によれば、前述の実施形態と同様の効果を奏することができる。また、これに加え、凹部３０から若干離間した位置に物落ち防止片２３６を設けるので、物落ち防止片２３６の回動軌跡を大きくすることができる。このため、物落ち防止片２３６の爪挿入孔３８に一対の突起爪３２を差し込む際、爪挿入孔３８に対してほぼ垂直に沿った方向から一対の突起爪３２を差し込むことができる。よって、爪挿入孔３８への突起爪３２の差し込み作業を容易化できる。
【符号の説明】
【００６９】
１…アッパートレイ（物入れ）
２…収納部
２ａ…開口部
３…蓋部
７…ノブ
１７…係合爪
１８…外周壁
２７…内側壁
２８…外側壁
２９…端壁
３０…凹部
３０ａ…側面
３０ｂ…底壁
３１…係合孔
３２…突起爪
３３…リブ
３６，２３６…物落ち防止片
３７…薄肉部
３８…爪挿入孔
【図１】
0006528262.tif 000002
【図２】
0006528262.tif 000003
【図３】
0006528262.tif 000004
【図４】
0006528262.tif 000005
【図５】
0006528262.tif 000006
【図６】
0006528262.tif 000007
【図７】
0006528262.tif 000008
【図８】
0006528262.tif 000009
【図９】
0006528262.tif 000010